【事件の表示】
　特願２００２−　　９５３７「放送受信装置及び自動選局方法」拒絶査定不服審判事件〔平成１５年　７月３１日出願公開、特開２００３−２１９３０７〕について、次のとおり審決する。
【結　論】
　本件審判の請求は、成り立たない。
【理　由】
１．経緯等
（１）経緯
　本件出願は、平成１４年１月１８日の出願であって、平成１９年５月１６日付けで拒絶理由の通知がなされ、これに対し、平成１９年７月２３日付けで手続補正がなされたが、平成２０年５月１４日付けで拒絶査定がなされたものである。
　本件は、上記拒絶査定を不服として平成２０年６月１８日付けで請求された拒絶査定不服審判であって、平成２０年７月１８日付けで手続補正（明細書又は図面について請求の日から３０日以内にする補正）がなされたものである。
　
（２）査定
　拒絶査定の理由は、概略次のようなものである。
　
　本件出願の請求項１から１０に係る発明は、その出願前日本国内において頒布された下記刊行物に記載された発明に基づいて、その出願前にその発明の属する技術の分野における通常の知識を有する者が容易に発明をすることができたものであるから、特許法第２９条第２項の規定により特許を受けることができない。
　　　　　　　　　　　　　　　　記
刊行物１：特開２０００−１２５２２３号公報
刊行物２：特開平１０−２８５４８９号公報
刊行物３：特開平１１−２２５２９６号公報
刊行物４：特開平１０−０５６６２０号公報（査定時に周知例として引用）
刊行物５：特開２００１−１６０９３３号公報（査定時に周知例として引　　　　　　用）
　
２．補正却下の決定
　平成２０年７月１８日付けの手続補正について次のとおり決定する。
　
〈補正却下の決定の結論〉
　平成２０年７月１８日付けの手続補正を却下する。
　
〈補正却下の決定の理由〉
（１）補正の内容
　平成２０年７月１８日付けの手続補正（以下、本件補正という）は、特許請求の範囲を補正する補正を含む補正であって、特許請求の範囲において請求項９（補正前）を削除し、請求項１０（補正前）を請求項９（補正後）に補正する次の補正事項（以下、「本件補正事項」ともいう）を含むものである。
　
（補正前）
「【請求項１０】　テレビジョン放送を受信する放送受信装置において、
　視聴者が指定したチャンネル選択のための選局信号を受信する選局信号受信手段と、
　前記選局信号に応じたチャンネルを選局する主の選局手段と、
　前記チャンネルの放送番組がコマーシャル放送時に前記チャンネル以外の他のチャンネルを選局する少なくとも１つの副の選局手段と、
　前記コマーシャル放送時に前記チャンネルの放送番組を主の画面に、前記他のチャンネルを少なくとも１つの副の画面に表示させる画面合成手段と、
　前記コマーシャル放送時に前記他のチャンネルを所望の設定に従って一定時間ごとに自動的に切り替える選局切替手段と、を有し、
　前記選局切替手段は、前記他のチャンネルの放送番組が前記コマーシャル放送を開始した場合、前記他のチャンネルを前記設定で定められている次のチャンネルに切り替えることを特徴とする放送受信装置。」
　を
（補正後）
「【請求項９】　テレビジョン放送を受信する放送受信装置において、
　視聴者が指定したチャンネル選択のための選局信号を受信する選局信号受信手段と、
　前記選局信号に応じたチャンネルを選局する主の選局手段と、
　前記チャンネルの放送番組がコマーシャル放送時に前記チャンネル以外の他のチャンネルを選局する少なくとも１つの副の選局手段と、
　前記コマーシャル放送時に前記チャンネルの放送番組を主の画面に、前記他のチャンネルを少なくとも１つの副の画面に表示させる画面合成手段と、
　前記コマーシャル放送時に前記他のチャンネルを所望の設定に従って一定時間ごとに自動的に切り替える選局切替手段と、を有し、
　前記選局切替手段は、前記他のチャンネルの放送番組が前記コマーシャル放送を開始した場合、前記他のチャンネルを所望の設定にしたがって一定時間ごとに自動的に切り替え中に、切り替えて選局されるチャンネルの放送番組が前記コマーシャル放送中であるとき該チャンネルを前記設定で定められている次のチャンネルに切り替えることを特徴とする放送受信装置。」
と補正する。
　
　上記本件補正事項は、「前記選局切替手段は、前記他のチャンネルの放送番組が前記コマーシャル放送を開始した場合、前記他のチャンネルを前記設定で定められている次のチャンネルに切り替える」（補正前）としていたところを、「前記選局切替手段は、前記他のチャンネルの放送番組が前記コマーシャル放送を開始した場合、前記他のチャンネルを所望の設定にしたがって一定時間ごとに自動的に切り替え中に、切り替えて選局されるチャンネルの放送番組が前記コマーシャル放送中であるとき該チャンネルを前記設定で定められている次のチャンネルに切り替える」（補正後）とする補正であって、「前記選局切替手段は、前記他のチャンネルの放送番組が前記コマーシャル放送を開始した場合、」に「前記設定で定められている次のチャンネルに切り替える」対象である「前記他のチャンネル」を、「前記他のチャンネルを所望の設定にしたがって一定時間ごとに自動的に切り替え中に、切り替えて選局されるチャンネルの放送番組が前記コマーシャル放送中であるとき該チャンネル」と補正するものである。
　
（２）補正の適法性
　本件補正事項は、上記のように、切り替える対象である「前記他のチャンネル」を「前記他のチャンネルを所望の設定にしたがって一定時間ごとに自動的に切り替え中に、切り替えて選局されるチャンネルの放送番組が前記コマーシャル放送中であるとき該チャンネル」と限定するものであり、特許請求の範囲の減縮を目的とする。そこで、独立特許要件について検討する。
　
　ア．補正後発明
　本件補正後の特許請求の範囲の請求項９に係る発明は、本件補正後の特許請求の範囲の請求項９に記載されたとおりの次のものであると認める。
　
［請求項９に係る発明］
「テレビジョン放送を受信する放送受信装置において、
　視聴者が指定したチャンネル選択のための選局信号を受信する選局信号受信手段と、
　前記選局信号に応じたチャンネルを選局する主の選局手段と、
　前記チャンネルの放送番組がコマーシャル放送時に前記チャンネル以外の他のチャンネルを選局する少なくとも１つの副の選局手段と、
　前記コマーシャル放送時に前記チャンネルの放送番組を主の画面に、前記他のチャンネルを少なくとも１つの副の画面に表示させる画面合成手段と、
　前記コマーシャル放送時に前記他のチャンネルを所望の設定に従って一定時間ごとに自動的に切り替える選局切替手段と、を有し、
　前記選局切替手段は、前記他のチャンネルの放送番組が前記コマーシャル放送を開始した場合、前記他のチャンネルを所望の設定にしたがって一定時間ごとに自動的に切り替え中に、切り替えて選局されるチャンネルの放送番組が前記コマーシャル放送中であるとき該チャンネルを前記設定で定められている次のチャンネルに切り替えることを特徴とする放送受信装置。」
　
　上記［請求項９に係る発明］は「少なくとも１つの副の選局手段」「少なくとも１つの副の画面に表示させる画面合成手段」を有するとされるものであるが、この「少なくとも１つ」は、明細書の記載から見て、「副の選局手段」および「副の画面」が、いずれも「１つ」である態様を含むものと認められる。
　したがって、［請求項９に係る発明］は、「副の選局手段」および「副の画面」がいずれも「１つ」である以下の発明（以下、「補正後発明」ともいう）を含むものと認められる。
　
［補正後発明］
「テレビジョン放送を受信する放送受信装置において、
　視聴者が指定したチャンネル選択のための選局信号を受信する選局信号受信手段と、
　前記選局信号に応じたチャンネルを選局する主の選局手段と、
　前記チャンネルの放送番組がコマーシャル放送時に前記チャンネル以外の他のチャンネルを選局する１つの副の選局手段と、
　前記コマーシャル放送時に前記チャンネルの放送番組を主の画面に、前記他のチャンネルを１つの副の画面に表示させる画面合成手段と、
　前記コマーシャル放送時に前記他のチャンネルを所望の設定に従って一定時間ごとに自動的に切り替える選局切替手段と、を有し、
　前記選局切替手段は、前記他のチャンネルの放送番組が前記コマーシャル放送を開始した場合、前記他のチャンネルを所望の設定にしたがって一定時間ごとに自動的に切り替え中に、切り替えて選局されるチャンネルの放送番組が前記コマーシャル放送中であるとき該チャンネルを前記設定で定められている次のチャンネルに切り替えることを特徴とする放送受信装置。」
　
　イ．刊行物
（ア）刊行物２
　特開平１０−２８５４８９号公報（以下、刊行物２という）には、図面と共に次の記載がある。
　
（刊行物２の記載）
「【０００３】
【発明が解決しようとする課題】上記従来のテレビジョン受像機は、主番組と裏番組の二画面表示したり、或いはその逆に主番組だけの通常の画面表示に戻す場合、いずれにしてもリモコン送信機等から所要の遠隔指令を発する必要がある。このため、例えば主番組がＣＭ放送中である場合にだけ裏番組をチェックしたいような場合、主番組がＣＭ放送に入ったときにリモコン送信機を操作し、ＣＭ放送が終わる前にも再びリモコン送信機を操作しなければならず、リモコン操作が非常に面倒である等の課題があった。
【０００４】本発明は、上記課題を解決したものであり、視聴中の主番組のＣＭ放送時間帯を利用し、裏番組を子画面にて確認できるようにすることを目的とする。」
　
「【００１０】図１に示すテレビジョン受像機１は、視聴対象となる主番組を受信する主番組受信器２と、ＣＭ放送期間中に親子画面の子画面として表示される裏番組を受信する裏番組受信器３と、両受信器２，３の受信出力を親子画面に合成して２画面表示する合成回路４と、合成回路４の出力を画面表示する表示装置５と、ＣＭ検出手段として受信器２，３及び合成回路４を制御する制御回路６等から構成されている。表示装置５としては、陰極線管（ＣＲＴ）或いは液晶表示パネル或いはプラズマディスプレイ等が用いられる。
【００１１】主番組受信器２と裏番組受信器３は、受信アンテナ７に共通接続されたチューナ２ｔ，３ｔを有しており、チューナ２ｔ，３ｔの選局出力を中間周波増幅するＩＦ回路２ｉ，３ｉと、ＩＦ回路２ｉ，３ｉの中間周波増幅出力を信号処理して映像信号を復調再生する信号処理回路２ｓ，３ｓとが、チューナ２ｔ，３ｔに縦列接続されている。合成回路４は、主番組の映像を親画面表示するとともに裏番組の映像を子画面表示するＰＩＰ（Picture　In　Picture）回路で構成してある。親子画面の合成は、ここでは、親画面のうちの子画面表示位置の映像にブランキング処理を施し、このブランキング処理された子画面表示位置に、走査線を画像圧縮率に応じて間引いた子画面の映像をはめ込むことで行われる。
【００１２】制御回路６は、主番組受信器２の信号処理回路２ｓが音声信号から抽出する多重制御信号を復調して主番組がＣＭ放送中であるか否かを検出し、ＣＭ放送中である場合は、裏番組受信器３と合成回路４を作動させ、子画面による裏番組の表示を行う。」
　
「【００１３】本実施形態の場合、裏番組受信器３内のチューナ３ｔは、制御回路６からの指令を受けて裏番組の選局受信を行うが、その動作は予め用意された３種類の選局受信モードから選択できるようになっている。３種類の選局受信モードとは、予め指定された特定の放送チャンネルだけを選局受信する特定チャンネル受信モードと、予め指定された複数の放送チャンネルを所定時間間隔ずつ順番に間欠的に選局受信する複数チャンネル受信モードと、受信可能な全ての放送チャンネルを所定時間間隔ずつ順番に間欠的に選局受信する全チャンネル受信モードの３種類であり、リモコン送信機（図示せず）を用いていずれか一つの選局受信モードが遠隔設定できるようになっている。」
　
「【００１４】ここで、特定チャンネル受信モードを選択した状態でテレビジョン受像機１の電源を投入すると、リモコン送信機等によって指定されたチャンネルの放送が、主番組受信器２により主番組として選局受信され、合成回路４を介して表示装置５に画面表示される。」
　
「【００１６】なお、制御回路６に対し、特定チャンネル受信モードではなく、予め指定済みの複数の放送チャンネルを所定時間間隔ずつ順番に間欠的に選局受信する複数チャンネル受信モードを設定した場合、図４に示したように、判断ステップ（１０１）において、ＣＭ放送に入ったと判定された時点でタイマ６ａが作動し、例えば５秒ないし１０秒間隔でチャンネル切り替え指令が発される。前述したように、制御回路６には、チャンネル切り替え指令を計数するカウンタ６ｂと、予め指定済みの複数の放送チャンネル等が格納されたメモリ６ｃが接続されているため、カウンタ６ｂの計数値に従って順番に放送チャンネルが読み出される。すなわち、ＣＭ放送の開始とともにステップ（１０２）に示したように、タイマ６ａが作動し、同時にまたメモリ６ｃの第０番地に格納されている放送チャンネルが読み出され、この放送チャンネルが裏番組受信器３のチューナ３ｔに選局指令として与えられる。次に、タイマ６ａからの第１回目の切り替え指令が発されると、判断ステップ（１０３）の判断結果に従い、続くステップ（１０４）においてカウンタ６ｂの計数値が１だけ歩進する。ここで、メモリ６ｃ内に格納済みの放送チャンネル数Ｎは既知であり、次の判断ステップ（１０５）において、予め指定された放送チャンネルの受信が全て完了したか否かの判断が行われる。指定済み放送チャンネルの選局受信が完了していない場合は、ステップ（１０６）において、メモリ６ｃの第ｎ番地から放送チャンネルが読み出され、再びステップ（１０３）へと戻る。また、指定済み放送チャンネルの選局受信が完了したことが判ると、ステップ（１０７）において、カウンタ６ｂの計数値をクリアし、同時にまたメモリ６ｃの第０番地から放送チャンネルを読み出し、ステップ（１０３）へと戻る。従って、こうした循環的な選局動作は、ＣＭ放送期間中繰り返し行われることになる。
【００１７】このように、ＣＭ放送期間中に裏番組受信器３は、予め指定された複数の放送チャンネルを所定時間間隔ずつ順番に間欠的に選局受信するため、受信者が最も関心をもっている複数の放送チャンネルを予め指定しておきさえすれば、ＣＭ放送中の二画面表示から必ず指定放送チャンネルを順番に視認することができ、チャンネル切り替えの必要性の幅広い判断材料を提供することができる。なお、メモリ６ｃには、チャンネル番号の若い順に放送チャンネルを格納することもできるが、視聴希望の優先度の高い順に放送チャンネルを格納することもでき、そうした場合、３０秒程度の短い期間だけスポット的に放送されるＣＭ期間中にも、裏番組でユーザの関心のある放送チャンネルについては最低でも３ないし６チャンネルの表示が可能である。」
　
「【００２０】このように、上記テレビジョン受像機１によれば、主番組がＣＭ放送中であることを検出し、ＣＭ放送期間中は主番組の映像信号と副番組の映像信号とを合成し、それ以外の期間は主番組の映像信号だけを画面表示する構成としたから、視聴中の主番組の受信を完全に中断するのではなく、主番組と裏番組を合成した画面表示を行うことができ、またＣＭ放送終了時には瞬時にして主番組の表示に切り替わるため、主たる視聴目的である主番組を見逃すことはなく、また主番組と裏番組が同時表示されるため視聴者に不快感を与えることはなく、裏番組にて放送される主番組よりも視聴価値の高い番組を見逃すこともなく、受信可能な放送映像の有効受信が可能である。」
（刊行物２の記載、以上）
　
上記刊行物２の記載によると、
　
「図１に示すテレビジョン受像機１は、視聴対象となる主番組を受信する主番組受信器２と、」（【００１０】）
とあるから、刊行物２には、「番組」を「受信する」「テレビジョン受像機１」が記載されている。
　
「ここで、特定チャンネル受信モードを選択した状態でテレビジョン受像機１の電源を投入すると、リモコン送信機等によって指定されたチャンネルの放送が、主番組受信器２により主番組として選局受信され、合成回路４を介して表示装置５に画面表示される。」（【００１４】）
とあるから、刊行物２記載の「テレビジョン受像機１」は、「リモコン送信機等によって」「チャンネル」が「指定され」るものと認められる。
　
「主番組受信器２と裏番組受信器３は、受信アンテナ７に共通接続されたチューナ２ｔ，３ｔを有しており、チューナ２ｔ，３ｔの選局出力を中間周波増幅するＩＦ回路２ｉ，３ｉと、ＩＦ回路２ｉ，３ｉの中間周波増幅出力を信号処理して映像信号を復調再生する信号処理回路２ｓ，３ｓとが、チューナ２ｔ，３ｔに縦列接続されている。」（【００１１】）、
「ここで、特定チャンネル受信モードを選択した状態でテレビジョン受像機１の電源を投入すると、リモコン送信機等によって指定されたチャンネルの放送が、主番組受信器２により主番組として選局受信され、合成回路４を介して表示装置５に画面表示される。」（【００１４】）
とあるから、「チューナ２ｔ」は、「指定されたチャンネルの放送」を「主番組として選局受信」するものと認められ、刊行物２記載の「テレビジョン受像機１」は、「指定されたチャンネルの放送」を「主番組として選局受信」する「チューナ２ｔ」を備えるものと認められる。
　
「ＣＭ放送期間中に親子画面の子画面として表示される裏番組を受信する裏番組受信器３と、」（【００１０】）、
「本実施形態の場合、裏番組受信器３内のチューナ３ｔは、制御回路６からの指令を受けて裏番組の選局受信を行うが、」（【００１３】）
とあるから、「チューナ３ｔ」は、「ＣＭ放送期間中に」「裏番組の選局受信を行う」ものと認められ、刊行物２記載の「テレビジョン受像機１」は、「ＣＭ放送期間中に」「裏番組の選局受信を行う」「チューナ３ｔ」を備えるものと認められる。
　
「合成回路４は、主番組の映像を親画面表示するとともに裏番組の映像を子画面表示するＰＩＰ（Picture　In　Picture）回路で構成してある。」（【００１１】）、
「制御回路６は、主番組受信器２の信号処理回路２ｓが音声信号から抽出する多重制御信号を復調して主番組がＣＭ放送中であるか否かを検出し、ＣＭ放送中である場合は、裏番組受信器３と合成回路４を作動させ、子画面による裏番組の表示を行う。」（【００１２】）
とあるから、「合成回路４」は、「ＣＭ放送中」に「主番組の映像を親画面表示するとともに裏番組の映像を子画面表示する」ものと認められ、刊行物２記載の「テレビジョン受像機１」は、「ＣＭ放送中」に「主番組の映像を親画面表示するとともに裏番組の映像を子画面表示する」「合成回路４」を備えるものと認められる。
　
「なお、制御回路６に対し、特定チャンネル受信モードではなく、予め指定済みの複数の放送チャンネルを所定時間間隔ずつ順番に間欠的に選局受信する複数チャンネル受信モードを設定した場合、図４に示したように、判断ステップ（１０１）において、ＣＭ放送に入ったと判定された時点でタイマ６ａが作動し、例えば５秒ないし１０秒間隔でチャンネル切り替え指令が発される。前述したように、制御回路６には、チャンネル切り替え指令を計数するカウンタ６ｂと、予め指定済みの複数の放送チャンネル等が格納されたメモリ６ｃが接続されているため、カウンタ６ｂの計数値に従って順番に放送チャンネルが読み出される。すなわち、ＣＭ放送の開始とともにステップ（１０２）に示したように、タイマ６ａが作動し、同時にまたメモリ６ｃの第０番地に格納されている放送チャンネルが読み出され、この放送チャンネルが裏番組受信器３のチューナ３ｔに選局指令として与えられる。」（【００１６】）、
「このように、ＣＭ放送期間中に裏番組受信器３は、予め指定された複数の放送チャンネルを所定時間間隔ずつ順番に間欠的に選局受信するため、」（【００１７】）
とあるから、「制御回路６」は、「ＣＭ放送期間中に」「予め指定された複数の放送チャンネルを所定時間間隔ずつ順番に間欠的に選局受信する」ように「チューナ３ｔに選局指令」を「与え」るものと認められ、刊行物２記載の「テレビジョン受像機１」は、「ＣＭ放送期間中に」「予め指定された複数の放送チャンネルを所定時間間隔ずつ順番に間欠的に選局受信する」ように「チューナ３ｔに選局指令」を「与え」る「制御回路６」を備えるものと認められる。そして、「制御回路６」がそのような制御を行う「複数チャンネル受信モード」においても、主番組の受信に関しては「特定チャンネル受信モードを選択した状態」と同じく、「チューナ２ｔ」は、「指定されたチャンネルの放送」を「主番組として選局受信」するものと認められる。
　
　このようであるから、刊行物２には「複数チャンネル受信モード」の場合の態様として、次の発明（以下、「刊行物２発明」ともいう）が記載されている。
　
［刊行物２発明］
「番組を受信するテレビジョン受像機１において、
リモコン送信機等によってチャンネルが指定され、
指定されたチャンネルの放送を主番組として選局受信するチューナ２ｔと、
ＣＭ放送期間中に裏番組の選局受信を行うチューナ３ｔと、
ＣＭ放送中に主番組の映像を親画面表示するとともに裏番組の映像を子画面表示する合成回路４と、
ＣＭ放送期間中に予め指定された複数の放送チャンネルを所定時間間隔ずつ順番に間欠的に選局受信するようにチューナ３ｔに選局指令を与える制御回路６と、
を有するテレビジョン受像機１。」
　
（イ）刊行物３
　特開平１１−２２５２９６号公報（以下、刊行物３という）には、図面と共に次の記載がある。
　
（刊行物３の記載）
「【０００２】
【従来の技術】咋近のテレビの映像ソースは、パソコン、ＤＶＤなどのパッケージ系、地上波ＴＶ、ＢＳ放送、ＣＳ放送、ＣＡＴＶ等の放送サービス、文字放送やインターネットなどのデータ放送など、急速に多様化、増大化してきている。このような、映像メディアの多様化、多受信チャンネル化とともに、ＴＶコマーシャル放送期間を利用して、他の豊富なチャンネルや映像メディアをサーチしたいという要望が、視聴者に高まってきている。
【０００３】上記に関連し、従来、家庭用ＶＴＲの使い勝手機能のひとつに「ＣＭスキップ」がある。これは、テレビ放送の番組期間とその途中に挿入されるコマーシャル期間（以下ＣＭ期間と記す）とを記録時に判別しておき、再生時に不要なＣＭ部分のみを自動的に早送りなどで飛ばして、番組のみを見ることができるようにする機能である。」
　
「【０００６】本発明の目的は、かかる不具合さに鑑みてなされたものであって、その目的は、番組視聴時にコマーシャルが入った場合、直ちに、チャンネルサーチあるいは他の放送モードや映像ソースに、自動的に移行することができる映像表示制御装置を提供することにある。」
　
「【００３４】図７は、ＣＭ放送期間を検出して、他の画面表示モードに移行する場合の、ＣＭ放送モードとチャンネル選局の関係を説明する図である。この場合は例えば、Ａチャンネルで通常番組を視聴していた時ＣＭ放送が入ったとすると、ユーザーがあらかじめ予約しておいた別のチャンネルＦに選局移行するものである。この時、もしＦチャンネルでもＣＭ放送期間であれば、ＣＭ放送でない次のチャンネルを選局することも可能である。これを実現する手段、構成は図１に示した装置と同様であって、制御方法が異なるだけであるので、詳細説明は省略する。」
　
「【００４２】
【発明の効果】以上説明したように構成されている本発明は、次のような効果がある。視聴者が通常のテレビ番組を見ている時にＣＭ放送にはいった場合、ＣＭ放送に入ったことを検出し、ＣＭ放送期間中他の画面表示モードに切替え移行することによって、自動的に、例えばチャンネルサーチモードや、その他文字放送表示画面、あるいは外部映像信号画面等を表示できる。
【００４３】したがって、視聴者はＣＭ放送期間を有効に利用して、自動的に他の所望の映像メディアを視聴することが可能となる。」
（刊行物３の記載、以上）
　
　上記刊行物３の記載によると、
「ＴＶコマーシャル放送期間を利用して、他の豊富なチャンネルや映像メディアをサーチしたいという要望」（【０００２】）のために、「従来、・・「ＣＭスキップ」がある。これは、テレビ放送の番組期間とその途中に挿入されるコマーシャル期間（以下ＣＭ期間と記す）とを記録時に判別しておき、再生時に不要なＣＭ部分のみを自動的に早送りなどで飛ばして、番組のみを見ることができるようにする機能である。」（【０００３】）に対して、「番組視聴時にコマーシャルが入った場合、直ちに、チャンネルサーチあるいは他の放送モードや映像ソースに、自動的に移行することができる映像表示制御装置を提供すること」（【０００６】）を目的として、
　「Ａチャンネル」の「番組」が「ＣＭ放送」に入ると、「別のチャンネルＦに選局移行」し、「ＦチャンネルでもＣＭ放送期間であれば、ＣＭ放送でない次のチャンネルを選局する」技術（【００３４】）
　が記載されている。
　この技術により、「視聴者はＣＭ放送期間を有効に利用して、自動的に他の所望の映像メディアを視聴することが可能となる。」（【００４３】）
　
ウ．対比
　補正後発明と刊行物２発明とを対比する。
　
（ア）「テレビジョン放送を受信する放送受信装置」
　
　刊行物２発明は、「番組」を「受信する」「テレビジョン受像機１」であり、「番組」は「テレビジョン放送」されるものと認められるから、「テレビジョン放送を受信する放送受信装置」ということができる。
　したがって、補正後発明と刊行物２発明とは、「テレビジョン放送を受信する放送受信装置」であることで一致する。
　
（イ）「視聴者が指定したチャンネル選択のための選局信号を受信する選局信号受信手段」
　
　刊行物２発明は、「リモコン送信機等によって」「チャンネル」が「指定され」るものであり、当然に「視聴者が指定したチャンネル選択のための選局信号を受信する選局信号受信手段」を有するといえる。
　したがって、補正後発明と刊行物２発明とは、「視聴者が指定したチャンネル選択のための選局信号を受信する選局信号受信手段」を有する点で一致する。
　
（ウ）「前記選局信号に応じたチャンネルを選局する主の選局手段」
　
　刊行物２発明の「チューナ２ｔ」は、「指定されたチャンネルの放送」を「主番組として選局受信」するものであり、「指定されたチャンネル」は、補正後発明の「選局信号に応じたチャンネル」に相当する。また、「チューナ２ｔ」は、該チャンネルの放送を「主番組として選局受信」することから、刊行物２発明の「チューナ２ｔ」は、補正後発明の「主の選局手段」に相当する。
　したがって、補正後発明と刊行物２発明とは、「前記選局信号に応じたチャンネルを選局する主の選局手段」を有する点で一致する。
　
（エ）「前記チャンネルの放送番組がコマーシャル放送時に前記チャンネル以外の他のチャンネルを選局する１つの副の選局手段」
　
　刊行物２発明の「チューナ３ｔ」は、「ＣＭ放送期間中に」「裏番組の選局受信を行う」ものであり、「裏番組」は、通常、視聴中の番組のチャンネル以外のチャンネルで放送している番組のことをいうのであって、「チューナ２ｔ」で選局受信される「主番組」を放送するチャンネル以外のチャンネルで放送している番組であると認められるから、「チューナ３ｔ」は、「チューナ２ｔ」で選局受信される「主番組」を放送するチャンネル以外のチャンネルを選局するためのものと認められ、補正後発明の「副の選局手段」に相当する。
　したがって、補正後発明と刊行物２発明とは、「前記チャンネルの放送番組がコマーシャル放送時に前記チャンネル以外の他のチャンネルを選局する１つの副の選局手段」を有する点で一致する。
　
（オ）「前記コマーシャル放送時に前記チャンネルの放送番組を主の画面に、前記他のチャンネルを１つの副の画面に表示させる画面合成手段」
　
　刊行物２発明の「合成回路４」は、「ＣＭ放送中」に「主番組の映像を親画面表示するとともに裏番組の映像を子画面表示する」ものであり、「前記コマーシャル放送時に前記チャンネルの放送番組を主の画面に、前記他のチャンネルを１つの副の画面に表示させる画面合成手段」といいうるものである。
　したがって、補正後発明と刊行物２発明とは、「前記コマーシャル放送時に前記チャンネルの放送番組を主の画面に、前記他のチャンネルを１つの副の画面に表示させる画面合成手段」を有する点で一致する。
　
（カ）「前記コマーシャル放送時に前記他のチャンネルを所望の設定に従って一定時間ごとに自動的に切り替える選局切替手段」
　
　刊行物２発明の「制御回路６」は、「ＣＭ放送期間中に」「予め指定された複数の放送チャンネルを所定時間間隔ずつ順番に間欠的に選局受信する」ように「チューナ３ｔに選局指令」を「与え」るものであり、「チューナ３ｔ」に、「予め指定された複数の放送チャンネルを」「所定時間間隔ずつ順番に間欠的に選局受信」させていることから、「前記他のチャンネルを所望の設定に従って一定時間ごとに自動的に切り替える」といいうるもの。
　したがって、補正後発明と刊行物２発明とは、「前記コマーシャル放送時に前記他のチャンネルを所望の設定に従って一定時間ごとに自動的に切り替える選局切替手段」を有する点で一致する。
　
（キ）「前記選局切替手段は、前記他のチャンネルの放送番組が前記コマーシャル放送を開始した場合、前記他のチャンネルを所望の設定にしたがって一定時間ごとに自動的に切り替え中に、切り替えて選局されるチャンネルの放送番組が前記コマーシャル放送中であるとき該チャンネルを前記設定で定められている次のチャンネルに切り替える」
　
　刊行物２発明は、上記（カ）で述べたように、「前記他のチャンネルを所望の設定にしたがって一定時間ごとに自動的に切り替え」るものといえるところ、「前記他のチャンネルの放送番組が前記コマーシャル放送を開始した場合、」その「自動的に切り替え」中に、「切り替えて選局されるチャンネルの放送番組が前記コマーシャル放送中であるとき該チャンネルを前記設定で定められている次のチャンネルに切り替える」ものではない。
　したがって、
　補正後発明では「前記選局切替手段は、前記他のチャンネルの放送番組が前記コマーシャル放送を開始した場合、前記他のチャンネルを所望の設定にしたがって一定時間ごとに自動的に切り替え中に、切り替えて選局されるチャンネルの放送番組が前記コマーシャル放送中であるとき該チャンネルを前記設定で定められている次のチャンネルに切り替える」のに対し、刊行物２発明では、そうでない点で相違する。
　
エ．一致点相違点
　以上の対比によると、補正後発明と刊行物２発明との一致点、相違点は次のとおりである。
　
　［一致点］
　「テレビジョン放送を受信する放送受信装置において、
　視聴者が指定したチャンネル選択のための選局信号を受信する選局信号受信手段と、
　前記選局信号に応じたチャンネルを選局する主の選局手段と、
　前記チャンネルの放送番組がコマーシャル放送時に前記チャンネル以外の他のチャンネルを選局する１つの副の選局手段と、
　前記コマーシャル放送時に前記チャンネルの放送番組を主の画面に、前記他のチャンネルを１つの副の画面に表示させる画面合成手段と、
　前記コマーシャル放送時に前記他のチャンネルを所望の設定に従って一定時間ごとに自動的に切り替える選局切替手段と、を有する放送受信装置。」
　
　［相違点］
　補正後発明では「前記選局切替手段は、前記他のチャンネルの放送番組が前記コマーシャル放送を開始した場合、前記他のチャンネルを所望の設定にしたがって一定時間ごとに自動的に切り替え中に、切り替えて選局されるチャンネルの放送番組が前記コマーシャル放送中であるとき該チャンネルを前記設定で定められている次のチャンネルに切り替える」のに対し、刊行物２発明では、そうでない点。
　
オ．判断
　刊行物２発明は、「例えば主番組がＣＭ放送中である場合にだけ裏番組をチェックしたいような場合、主番組がＣＭ放送に入ったときにリモコン送信機を操作し、ＣＭ放送が終わる前にも再びリモコン送信機を操作しなければならず、リモコン操作が非常に面倒である」（【０００３】）ことを問題点とし、「視聴中の主番組のＣＭ放送時間帯を利用し、裏番組を子画面にて確認できるようにする」（【０００４】）ことを目的としている。
　そして、刊行物２には、
「なお、制御回路６に対し、特定チャンネル受信モードではなく、予め指定済みの複数の放送チャンネルを所定時間間隔ずつ順番に間欠的に選局受信する複数チャンネル受信モードを設定した場合、図４に示したように、判断ステップ（１０１）において、ＣＭ放送に入ったと判定された時点でタイマ６ａが作動し、例えば５秒ないし１０秒間隔でチャンネル切り替え指令が発される。」（【００１６】）、
「このように、ＣＭ放送期間中に裏番組受信器３は、予め指定された複数の放送チャンネルを所定時間間隔ずつ順番に間欠的に選局受信するため、受信者が最も関心をもっている複数の放送チャンネルを予め指定しておきさえすれば、ＣＭ放送中の二画面表示から必ず指定放送チャンネルを順番に視認することができ、チャンネル切り替えの必要性の幅広い判断材料を提供することができる。なお、メモリ６ｃには、チャンネル番号の若い順に放送チャンネルを格納することもできるが、視聴希望の優先度の高い順に放送チャンネルを格納することもでき、そうした場合、３０秒程度の短い期間だけスポット的に放送されるＣＭ期間中にも、裏番組でユーザの関心のある放送チャンネルについては最低でも３ないし６チャンネルの表示が可能である。」（【００１７】）、
「このように、上記テレビジョン受像機１によれば、主番組がＣＭ放送中であることを検出し、ＣＭ放送期間中は主番組の映像信号と副番組の映像信号とを合成し、それ以外の期間は主番組の映像信号だけを画面表示する構成としたから、視聴中の主番組の受信を完全に中断するのではなく、主番組と裏番組を合成した画面表示を行うことができ、またＣＭ放送終了時には瞬時にして主番組の表示に切り替わるため、主たる視聴目的である主番組を見逃すことはなく、また主番組と裏番組が同時表示されるため視聴者に不快感を与えることはなく、裏番組にて放送される主番組よりも視聴価値の高い番組を見逃すこともなく、受信可能な放送映像の有効受信が可能である。」（【００２０】）
とあって、刊行物２では、主番組のＣＭ放送期間中に、５秒ないし１０秒間隔で裏番組の放送チャンネルを切り替えることにより、子画面で裏番組のチャンネルを順番に視認し、裏番組にて放送される主番組よりも視聴価値の高い番組を見逃さないようにしている。
　この刊行物２における「見逃さないように」しようとする「裏番組にて放送される主番組よりも視聴価値の高い番組」とは、その裏番組を放送するチャンネルで放送される「番組」（裏番組）であって、その裏番組を放送するチャンネルで放送される「ＣＭ」ではない「番組」自体を期待していることは、主番組を放送するチャンネルにおいて、主番組とＣＭとを区別して、「主番組がＣＭ放送中である場合にだけ裏番組をチェックしたいような場合」（【０００３】）を認識し、「視聴中の主番組のＣＭ放送時間帯を利用し、裏番組を子画面にて確認できるようにする」（【０００４】）ことを目的としているように、ＣＭを視聴の対象として重要視していないことからも、普通に理解できる。すなわち、刊行物２発明は、「制御回路６」で「ＣＭ放送期間中に予め指定された複数の放送チャンネルを所定時間間隔ずつ順番に間欠的に選局受信するようにチューナ３ｔに選局指令を与える」ことで、「子画面表示」される「裏番組」として「ＣＭ」ではない「番組」自体を期待しているものと普通に理解できる。
　一方、一般に、放送チャンネルで放送される内容として「番組」自体の他に、適宜にＣＭが放送されることが普通であって、刊行物２において、主番組のチャンネルでＣＭが放送されるように、裏番組のチャンネルにおいても、ＣＭが放送されることも普通に想定される。そうであるから、刊行物２発明で「制御回路６」で「ＣＭ放送期間中に予め指定された複数の放送チャンネルを所定時間間隔ずつ順番に間欠的に選局受信するようにチューナ３ｔに選局指令を与える」ことで「裏番組」を「子画面表示」しようとした際、裏番組のチャンネルにおいてＣＭが放送されること、すなわち、「５秒ないし１０秒間隔で裏番組の放送チャンネルを切り替え」られる「裏番組」のチャンネルにＣＭが表示されることが当業者にあっては普通に予測することができることと認められる。
　そうすると、刊行物２においては、「子画面表示」される「裏番組」として「ＣＭ」ではない「番組」自体を期待し、「裏番組」のチャンネルにＣＭが表示されることを予測するから、刊行物２発明に対して、「裏番組」のチャンネルにＣＭが表示されるとき、そのＣＭを表示させずにＣＭではない「番組」（裏番組）を表示するようにしようとすることは容易に想到できることといえる。
　このことは、「５秒ないし１０秒間隔で裏番組の放送チャンネルを切り替え」て「３０秒程度の短い期間だけスポット的に放送されるＣＭ期間中にも、裏番組でユーザの関心のある放送チャンネルについては最低でも３ないし６チャンネルの表示」（【００１７】）をしようとすることから、できるだけ多くの裏番組、すなわち、ＣＭではない番組を表示しようとすると認められることからもいうことができる。
　
　刊行物３には、上記のように、「ＴＶコマーシャル放送期間を利用して、他の豊富なチャンネルや映像メディアをサーチしたいという要望」（【０００２】）のために、「従来、・・「ＣＭスキップ」がある。これは、テレビ放送の番組期間とその途中に挿入されるコマーシャル期間（以下ＣＭ期間と記す）とを記録時に判別しておき、再生時に不要なＣＭ部分のみを自動的に早送りなどで飛ばして、番組のみを見ることができるようにする機能である。」（【０００３】）に対して、「番組視聴時にコマーシャルが入った場合、直ちに、チャンネルサーチあるいは他の放送モードや映像ソースに、自動的に移行することができる映像表示制御装置を提供すること」（【０００６】）を目的として、「Ａチャンネル」の「番組」が「ＣＭ放送」に入ると、「別のチャンネルＦに選局移行」し、「ＦチャンネルでもＣＭ放送期間であれば、ＣＭ放送でない次のチャンネルを選局する」技術（【００３４】）が記載されている。
　この刊行物３記載の技術は、「不要なＣＭ」を表示させないようにする技術ということができる。
　
　上記のように、刊行物２発明において、「子画面表示」される「裏番組」として「ＣＭ」ではない「番組」自体を期待し、「裏番組」のチャンネルにＣＭが表示されることを予測するから、刊行物２発明に対して、「裏番組」のチャンネルにＣＭが表示されるとき、そのＣＭを表示させずにＣＭではない「番組」（裏番組）を表示するようにしようとすることは容易に想到できることといえるところ、そのように、そのＣＭを表示させずにＣＭではない「番組」（裏番組）を表示するようにするための具体的手段として、「不要なＣＭ」を表示させないようにする技術といえる刊行物３記載の技術を採用することは、当業者が容易になし得ることといえる。
　そして、刊行物２発明の「ＣＭ放送期間中に予め指定された複数の放送チャンネルを所定時間間隔ずつ順番に間欠的に選局受信するようにチューナ３ｔに選局指令を与える制御回路６」に、刊行物３に記載された構成を採用すると、「チューナ３ｔ」で「選局受信」された「放送チャンネル」が「ＣＭ放送期間中」の場合、該放送チャンネルを「予め指定された複数の放送チャンネル」のうち次の「順番」の「放送チャンネル」を「選局受信するようにチューナ３ｔに選局指令を与える」こととなり、補正後発明の「前記選局切替手段は、前記他のチャンネルの放送番組が前記コマーシャル放送を開始した場合、前記他のチャンネルを所望の設定にしたがって一定時間ごとに自動的に切り替え中に、切り替えて選局されるチャンネルの放送番組が前記コマーシャル放送中であるとき該チャンネルを前記設定で定められている次のチャンネルに切り替える」との構成を備えたものとなる。
　したがって、刊行物２発明に刊行物３記載の技術を採用して、補正後発明の相違点に係る構成とすることは、当業者が容易に想到できることといえる。
　
　以上のように、補正後発明の相違点に係る構成は当業者が容易に想到できることといえるところ、そのようにして得られる構成が補正後発明の効果を奏することも予測できるものといえるから、補正後発明は、刊行物２及び３に記載された発明に基づいて当業者が容易に発明をすることができたものであり、特許法第２９条第２項の規定により特許を受けることができない。したがって、補正後発明は特許出願の際独立して特許を受けることができるものということができない。
　
カ．補正の適否まとめ
　以上のとおり、補正後発明は特許出願の際独立して特許を受けることができるものということができないところ、平成２０年７月１８日付けの手続補正で補正する補正後の請求項９に係る発明は、補正後発明を含むのであるから、同じく、特許法第２９条第２項の規定により特許を受けることができず、特許出願の際独立して特許を受けることができるものということができない。したがって、平成２０年７月１８日付けの手続補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正却下の決定の結論のとおり、決定する。
　
　３．本願発明
　上記のように平成２０年７月１８日付けの手続補正は却下する。
　したがって、本件出願の請求項１ないし１０に係る発明は、平成１９年７月２３日付けで補正された特許請求の範囲の請求項１ないし１０に記載されたとおりのものであり、そのうち、請求項１０に係る発明は、次のとおりである。
　
［請求項１０に係る発明］
「テレビジョン放送を受信する放送受信装置において、
視聴者が指定したチャンネル選択のための選局信号を受信する選局信号受信手段と、
　前記選局信号に応じたチャンネルを選局する主の選局手段と、
　前記チャンネルの放送番組がコマーシャル放送時に前記チャンネル以外の他のチャンネルを選局する少なくとも１つの副の選局手段と、
　前記コマーシャル放送時に前記チャンネルの放送番組を主の画面に、前記他のチャンネルを少なくとも１つの副の画面に表示させる画面合成手段と、
　前記コマーシャル放送時に前記他のチャンネルを所望の設定に従って一定時間ごとに自動的に切り替える選局切替手段と、を有し、
　前記選局切替手段は、前記他のチャンネルの放送番組が前記コマーシャル放送を開始した場合、前記他のチャンネルを前記設定で定められている次のチャンネルに切り替えることを特徴とする放送受信装置。」
　
　上記［請求項１０に係る発明］は「少なくとも１つの副の選局手段」「少なくとも１つの副の画面に表示させる画面合成手段」を有するとされるものであるが、この「少なくとも１つ」は、明細書の記載から見て、「副の選局手段」および「副の画面」が、いずれも「１つ」である態様を含むものと認められる。
　したがって、［請求項１０に係る発明］は、「副の選局手段」および「副の画面」がいずれも「１つ」である以下の発明（以下、「本願発明」ともいう）を含むものと認められる。
　
［本願発明］
「テレビジョン放送を受信する放送受信装置において、
視聴者が指定したチャンネル選択のための選局信号を受信する選局信号受信手段と、
　前記選局信号に応じたチャンネルを選局する主の選局手段と、
　前記チャンネルの放送番組がコマーシャル放送時に前記チャンネル以外の他のチャンネルを選局する１つの副の選局手段と、
　前記コマーシャル放送時に前記チャンネルの放送番組を主の画面に、前記他のチャンネルを１つの副の画面に表示させる画面合成手段と、
　前記コマーシャル放送時に前記他のチャンネルを所望の設定に従って一定時間ごとに自動的に切り替える選局切替手段と、を有し、
　前記選局切替手段は、前記他のチャンネルの放送番組が前記コマーシャル放送を開始した場合、前記他のチャンネルを前記設定で定められている次のチャンネルに切り替えることを特徴とする放送受信装置。」
　
４．対比、一致点相違点
　刊行物２には、上記２．（２）イ．（ア）で述べた発明（刊行物２発明）が記載されている。
　本願発明と補正後発明とは、上記２．（１）で述べた関係にあるから、上記２．（２）ウ．を援用して本願発明と刊行物２発明とを対比すると、本願発明と刊行物２発明との一致点、相違点は次のようである。
　
　［一致点］
　「テレビジョン放送を受信する放送受信装置において、
　視聴者が指定したチャンネル選択のための選局信号を受信する選局信号受信手段と、
　前記選局信号に応じたチャンネルを選局する主の選局手段と、
　前記チャンネルの放送番組がコマーシャル放送時に前記チャンネル以外の他のチャンネルを選局する１つの副の選局手段と、
　前記コマーシャル放送時に前記チャンネルの放送番組を主の画面に、前記他のチャンネルを１つの副の画面に表示させる画面合成手段と、
　前記コマーシャル放送時に前記他のチャンネルを所望の設定に従って一定時間ごとに自動的に切り替える選局切替手段と、を有する放送受信装置。」
　
　［相違点］
　本願発明では「前記選局切替手段は、前記他のチャンネルの放送番組が前記コマーシャル放送を開始した場合、前記他のチャンネルを前記設定で定められている次のチャンネルに切り替える」のに対し、刊行物２発明ではそうではない点。
　
５．判断
　上記２．（２）オ．を援用して判断すると、刊行物２発明に刊行物３記載の技術を採用することは、当業者が容易に想到することができることといえるところ、
　刊行物２発明の「ＣＭ放送期間中に予め指定された複数の放送チャンネルを所定時間間隔ずつ順番に間欠的に選局受信するようにチューナ３ｔに選局指令を与える制御回路６」に、刊行物３に記載された構成を採用すると、「チューナ３ｔ」で「選局受信」された「放送チャンネル」が「ＣＭ放送期間中」の場合、該放送チャンネルを「予め指定された複数の放送チャンネル」のうち次の「順番」の「放送チャンネル」を「選局受信するようにチューナ３ｔに選局指令を与える」こととなり、本願発明の「前記選局切替手段は、前記他のチャンネルの放送番組が前記コマーシャル放送を開始した場合、前記他のチャンネルを前記設定で定められている次のチャンネルに切り替える」との構成を備えたものとなる。
　したがって、刊行物２発明に刊行物３記載の技術を採用して、本願発明の相違点に係る構成とすることは、当業者が容易に想到できることといえる。
　
　以上のように、本願発明の相違点に係る構成は当業者が容易に想到できることといえるところ、そのようにして得られる構成が本願発明の効果を奏することも予測できるものといえるから、本願発明は、刊行物２及び３に記載された発明に基づいて当業者が容易に発明をすることができたものであり、特許法第２９条第２項の規定により特許を受けることができない。
　
　以上のとおり、本願発明は刊行物２及び３に記載された発明に基づいて当業者が容易に発明をすることができたものであり、特許法第２９条第２項の規定により特許を受けることができないものであるところ、請求項１０に係る発明は、本願発明を含むのであるから、同じく、特許法第２９条第２項の規定により特許を受けることができない。
　
６．むすび
　以上のとおり、本件出願の請求項１０に係る発明は、特許法第２９条２項の規定により特許を受けることができない。
　したがって、残る請求項１ないし９に係る発明について特に検討をするまでもなく、本件出願は拒絶をすべきものである。
　よって、結論のとおり審決する。